(57)【特許請求の範囲】
【請求項１】
建物の屋根や屋上などの表面に敷設される建物の外部断熱保水装置であって、断熱機能と保水機能を備えた断熱・保水マットと、この断熱・保水マットに水を供給して保水させる給水装置とを具備し、前記断熱・保水マットが所定幅と所定長さおよび所定の厚さを備えた軽量且つ小型の断熱・保水ユニットの多数個を接着布によって幅方向と長手方向に互いに連結した集合体で構成されると共に、前記断熱・保水ユニットが断熱・保水材と、この断熱・保水材を収容する透水性袋体によって構成され、前記断熱・保水材はロックウールで構成されると共に、このロックウールは透水性袋体に収容され、かつ、前記透水性袋体はポリエチレン樹脂製のネットによって構成され、この透水性袋体の幅方向中央部の上面には散水ホース挿通トンネルが長手方向の全長にのびて設けられると共に、前記散水ホース挿通トンネルには樹脂製低圧散水ホースが挿通されていることを特徴とする建物の外部断熱保水装置。
【発明の詳細な説明】
【０００１】
【発明の属する技術分野】
本発明は、建物の屋根や屋上などの表面に敷設して、建物の温度上昇を抑制する建物の外部断熱保水装置に関する。
【０００２】
【従来の技術】
従来より、病院、老人ホーム、ホテル、学校などの公共施設はいうにおよばず、ビルやコンビニエンスストアー、スーパーマーケット、個人住宅などの建物では、外部温度（気温）の影響を緩和する断熱方式として内断熱方式が採用されている。
【０００３】
【発明が解決しようとする課題】
ところが、内断熱方式では、前記の建物がたとえば鉄骨構造物や鉄骨鉄筋構造物であれば、外部温度がスラブの鉄筋をつたって内部に伝達されるヒート・ブリッジ現象が生じる。このため、夏期では室内温度を異常に高め、冬季では室内温度を異常に低下させる最悪の居住環境をつくりだし、室内温度調整の空調費用を高騰させている。つまり、従来の内断熱方式では、優れた断熱性を期待することができないので、室内温度調整の省エネルギー化が妨げられる難点を有している。また、建物の各部に結露を生じて、有毒カビの発生や建材腐食を招き、人体および建物に悪影響をおよぼすおそれもある。
【０００４】
一方、建物の屋根や屋上などの表面は、とりわけ夏期において強烈な直射日光にさらされるので劣化を早める。しかも、昼夜の温度変化の幅が大きく、大きい伸縮量で熱膨張と熱収縮が連日反復される。その結果、屋根や屋上にひび割れが発生して雨水の浸透を招いて建物に悪影響をおよぼし、建物の耐久性を低下させている。
【０００５】
このため、優れた遮光性と断熱性を発揮することで建物の耐久性を向上させ、かつ居住環境を改善して室内温度調整の省エネルギー化を実現し、さらに施工が簡単で工期を短縮できるとともに、ランニングコストを削減できる断熱方式の開発が要望されている。
【０００６】
本発明は、このような実情に鑑みてなされたもので、優れた遮光性と断熱性を発揮することで建物の耐久性を向上させ、かつ居住環境を改善して室内温度調整の省エネルギー化を実現し、さらに施工が簡単で工期を短縮できるとともに、ランニングコストを削減できる建物の外部断熱保水装置を提供することを目的としている。
【０００７】
【課題を解決するための手段】
前記目的を達成するために、請求項１に記載の発明に係る建物の外部断熱保水装置は、
建物の屋根や屋上などの表面に敷設される建物の外部断熱保水装置であって、断熱機能と保水機能を備えた断熱・保水マットと、この断熱・保水マットに水を供給して保水させる給水装置とを具備し、前記断熱・保水マットが所定幅と所定長さおよび所定の厚さを備えた軽量且つ小型の断熱・保水ユニットの多数個を接着布によって幅方向と長手方向に互いに連結した集合体で構成されると共に、前記断熱・保水ユニットが断熱・保水材と、この断熱・保水材を収容する透水性袋体によって構成され、前記断熱・保水材はロックウールで構成されると共に、このロックウールは透水性袋体に収容され、かつ、前記透水性袋体はポリエチレン樹脂製のネットによって構成され、この透水性袋体の幅方向中央部の上面には散水ホース挿通トンネルが長手方向の全長にのびて設けられると共に、前記散水ホース挿通トンネルには樹脂製低圧散水ホースが挿通されていることを特徴としている。
【０００８】
請求項１に記載の発明によれば、建物の屋根や屋上の表面に敷設される断熱・保水マットにより、屋根や屋上の表面に対する外部断熱方式を構成して、優れた遮光性と断熱性を発揮することができる。このため、建物の屋根や屋上などの表面の劣化と大きい伸縮量での熱膨張と熱収縮を抑えて、建物の耐久性を向上させるとともに、居住環境を改善することができる。また、給水装置により供給した水を断熱・保水マットで保水することができるので、保水された水の水冷作用と水の気化熱による奪熱作用との相乗作用によって、建物の屋根や屋上の表面を積極的に冷却して、居住環境をさらに改善することができる。
【０００９】
また、前記断熱・保水マットが前記所定幅と所定長さおよび所定の厚さを備えた軽量かつ小型の多数個の断熱・保水ユニットの集合体によって構成されているので、建物の屋上の表面などの敷設現場への搬入時の取り扱いと敷設現場での断熱・保水マットの敷設施工が簡単になされて工期を短縮することができる。
【００１０】
また、断熱・保水材によって断熱・保水作用を発揮できるとともに、断熱・保水材が透水性袋体に収容されていることにより、断熱・保水ユニットの保形性を高めて、その形くずれを防止し、断熱・保水ユニットの取り扱いを容易にすることができる。
【００１１】
【発明の実施の形態】
以下、本発明の実施の形態を図面に基づいて説明する。図１は本発明の一実施の形態を示す系統図である。この図において、建物の屋上５０の表面５１に敷設される建物の外部断熱保水装置は、断熱・保水マット１と、この断熱・保水マット１に水を供給して保水させる給水装置２とを具備している。
【００１２】
断熱・保水マット１は、図２〜図４に示す断熱・保水ユニット１０の多数個を図示していないマジックテープ（登録商標）と称される接着布によって幅方向と長手方向に互いに連結した集合体によってなり、各断熱・保水ユニット１０は、断熱・保水材１１と、この断熱・保水材１１を収容する透水性袋体１２によって構成されている。
【００１３】
断熱・保水材１１としては、断熱性と保水性に優れているとともに、使用後には破砕して土壌に混入することでリサイクルが可能な特性を有し、たとえば水耕栽培用に多用されている玄武岩を使用したロックウール（ニチアス株式会社製）が適用されて透水性袋体１２に収容されている。また、透水性袋体１２は、使用後には溶融してリサイクルが可能な特性を有する０．５ｍｍ角〜５０ｍｍ角程度の網目の小さいポリエチレン樹脂製のネットによってなり、幅寸法Ｗが約６００〜６５０ｍｍに、長手方向の寸法Ｌが約９００〜９５０ｍｍに、厚さＴが約２５〜１００ｍｍにそれぞれ設定されており、その幅方向中央部の上面に散水ホース挿通トンネル１３が長手方向の全長にのびて設けられ、この散水ホース挿通トンネル１３に対向する幅方向中央部の下面両側に押さえ板挿通トンネル１４を設けてある。なお、散水ホース挿通トンネル１３と押さえ板挿通トンネル１４は、それぞれ透水性袋体１２と同様のポリエチレン樹脂製のネットによってなり、透水性袋体１２の上面と下面に適宜縫着して取付けられる。
【００１４】
図１において、給水装置２は、ボールタップ（フロート弁）２０を内部に備え、該フロート弁２０の水位調整機能により水位が所定範囲内で自動調整される貯水槽２１と、この貯水槽２１とヘッダー管２２を連通させる連結管２３と、複数個の手動切替弁２４，２４…を介して入口側がヘッダー管２２に接続された複数本の低圧散水ホース２５，２５…とを備え、これら複数本の低圧散水ホース２５，２５…のそれぞれには、図示していない上向きの散水孔が所定の間隔を隔てて複数個設けてある。なお、本実施の形態において、フロート弁２０の入口は、人工透析装置２６に使用される軟水装置、純水装置などの排水系２７に接続され、低圧散水ホース２５，２５…は、使用後に溶融してリサイクルが可能な特性を有するポリエチレン樹脂によって構成されている。
【００１５】
一方、図２〜図４に示す断熱・保水ユニット１０の多数個を幅方向と長手方向に互いに連結した集合体によって図１の断熱・保水マット１を構成した場合に、各断熱・保水ユニット１０に設けられている散水ホース挿通トンネル１３を長手方向で連通させた複数の一連の散水ホース挿通トンネル１５を構成することができるとともに、各断熱・保水ユニット１０に設けられている押さえ板挿通トンネル１４を長手方向で連通させた複数の一連の押さえ板挿通トンネル１６を構成することができる。
【００１６】
他方、前記複数の一連の散水ホース挿通トンネル１５に複数本の樹脂製低圧散水ホース２５，２５…を挿通して、その先端部を一連の散水ホース挿通トンネル１５から突出させ、これら突出部分を適宜閉塞した状態で断熱・保水マット１に給水装置２が組み付けられる。また、前記複数の一連の押さえ板挿通トンネル１６に複数枚の金属板材によってなる押さえ板３を挿通して、その両端部を一連の押さえ板挿通トンネル１６から突出させた状態で、これら突出部分を重錘兼用止め金４で建物の屋上５０の表面５１に適宜押圧することによって、断熱・保水マット１の不本意な移動を阻止して、断熱・保水マット１を所定の位置に敷設した状態を保持することができる。
【００１７】
このような構成であれば、建物の屋上５０の表面５１に敷設される断熱・保水マット１により、屋上５０の表面５１に対する外部断熱方式を構成して、直射日光を遮ることで優れた遮光性と断熱性を発揮することができる。このため、建物の屋上５０の表面５１の劣化と大きい伸縮量での熱膨張と熱収縮を抑えて、建物の耐久性を向上させるとともに、居住環境を改善して室内温度調整の省エネルギー化を実現することができる。
【００１８】
また、人工透析装置２６に使用される軟水装置、純水装置などの排水系２７から貯水槽２１に供給された水は、給水装置２における貯水槽２１内の水位によって設定されるヘッドにより連結管２３とヘッダー管２２を経て複数本の樹脂製低圧散水ホース２５，２５…に供給され、各樹脂製低圧散水ホース２５，２５…に設けられている複数の上向きの散水孔（図示省略）から散水して、断熱・保水マット１の全面に略均一に飛散する。これにより、人工透析装置２６に使用される軟水装置、純水装置などの排水を断熱・保水材１１によって保水することができるので、保水された水の水冷作用と水の気化熱による奪熱作用との相乗作用によって、建物の屋上５０の表面５１を積極的に冷却して、居住環境をさらに改善して、室内温度調整の省エネルギー化をより一層促進することができる。
【００１９】
前記断熱・保水マット１が前記所定幅Ｗと所定長さＬおよび所定の厚さＴを備えた軽量かつ小型の多数個の断熱・保水ユニット１０，１０、…の集合体によって構成されているので、建物の屋上５０の表面５１などの敷設現場への搬入時の取り扱いと敷設現場での断熱・保水マット１の敷設施工が簡単になされて工期を短縮することができる。また、各断熱・保水ユニット１０の断熱・保水材１１が透水性袋体１２に収容されていることにより、断熱・保水ユニット１０の保形性を高めて、その形くずれを防止できるので、敷設現場への搬入時の取り扱いおよび敷設施工時の取り扱いが容易になって、工期の短縮に寄与することができる。
【００２０】
一方、断熱・保水マット１に人工透析装置２６に使用される軟水装置、純水装置などの排水を活用して供給しているので、従来は棄てられていた大量の前記排水を有効に利用して、ランニングコストを削減することができる。ランニングコストの削減は、前記人工透析装置２６に使用される軟水装置、純水装置などの排水のみならず、空調機器のドレン水や降雨時の雨水などを活用して供給することによっても実現できる。なお、断熱・保水材１１による保水が飽和状態に達したのちに供給される前記排水、ドレン水、雨水などは、建物の屋上５０に設けられている既存の排水系を介して回収して給水装置２における貯水槽２１に還流するように構成して、これらを循環させるようにしてもよい。
【００２１】
他方、断熱・保水材１１が使用後に破砕して土壌に混入することでリサイクルが可能な特性を有する玄武岩を使用したロックウールによってなり、透水性袋体１２は使用後に溶融してリサイクルが可能な特性を有するポリエチレン樹脂によって構成されているので、建物の外部断熱保水装置の撤去後において、断熱・保水材１１と透水性袋体１２を再資源化して活用し、省資源化に寄与することができる。
【００２２】
前記実施の形態では、病院の建物の屋上５０の表面５１に本発明に係る外部断熱保水装置を設置し、人工透析装置２６に使用される軟水装置、純水装置などの排水、空調機器のドレン水、雨水など断熱・保水マット１に供給して保水させる構成で説明しているが、本発明に係る外部断熱保水装置の設置は、病院の建物の屋上５０のみに限らず、老人ホーム、ホテル、学校などの公共施設はいうにおよばず、ビルやコンビニエンスストアー、スーパーマーケット、個人住宅などの建物の屋上の表面に設置することによって、前記実施の形態と同様の作用・効果を奏することができる。ただし、これらの場合には、人工透析装置２６に使用される軟水装置、純水装置などの排水を断熱・保水マット１に供給して保水させることは不能であるので、空調機器のドレン水、雨水、水道水または井戸水などを貯水槽２１から供給すればよい。これによってもランニングコストの削減を期待できる。
【００２３】
また、本発明に係る外部断熱保水装置は、前記各種建物の屋上のみに限らず、スレート屋根、トタン屋根、折版屋根などに設置することができる。たとえば、図５に示すように、予め、折版屋根５の表面に所定の間隔を隔てて複数本のアンカー部材６を上向きに接着して取付け、複数の断熱・保水ユニット１０のそれぞれに複数本のアンカー部材６を下側から上向きに挿通して、該複数の断熱・保水ユニット１０を折版屋根５に載置したのち、各断熱・保水ユニット１０上面に複数の押さえ板３を配し、これら押さえ板３を下側から挿通してその上側に複数本のアンカー部材６の先端部を突出させ、この突出部分に被せたキャップ７により押さえ板３を複数の断熱・保水ユニット１０側に押圧することによって、折版屋根５の表面に外部断熱保水装置を設置することができる。
【００２４】
【発明の効果】
以上説明したように、本発明に係る建物の外部断熱保水装置は構成されているので、以下のような格別の効果を奏する。
【００２５】
請求項１に記載の発明によれば、建物の屋根や屋上の表面に敷設される断熱・保水マットにより、屋根や屋上の表面に対する外部断熱方式を構成して、直射日光を遮ることで優れた遮光性と断熱性を発揮することができる。このため、建物の屋根や屋上などの表面の劣化と大きい伸縮量での熱膨張と熱収縮を抑えて、建物の耐久性を向上させるとともに、居住環境を改善して室内温度調整の省エネルギー化を実現する。また、給水装置により供給した水を断熱・保水マットで保水することができるので、保水された水の水冷作用と水の気化熱による奪熱作用との相乗作用によって、建物の屋根や屋上の表面を積極的に冷却して、居住環境をさらに改善して、室内温度調整の省エネルギー化をより一層促進することができる。
【００２６】
また、前記断熱・保水マットが前記所定幅と所定長さおよび所定の厚さを備えた軽量かつ小型の多数個の断熱・保水ユニットの集合体によって構成されているので、建物の屋上の表面などの敷設現場への搬入時の取り扱いと敷設現場での断熱・保水マットの敷設施工が簡単になされて工期を短縮することができる。
【００２７】
また、断熱・保水材によって断熱・保水作用を発揮できるとともに、断熱・保水材が透水性袋体に収容されていることにより、断熱・保水ユニットの保形性を高めて、その形くずれを防止できるので、敷設現場への搬入時の取り扱いおよび敷設施工時の取り扱いが容易になって、工期の短縮に寄与することができる。
【図面の簡単な説明】
【図１】  本発明の一実施の形態を示す系統図である。
【図２】  断熱・保水ユニットの一例を示す斜視図である。
【図３】  図２のＡ−Ａ線断面図である。
【図４】  図２のＢ−Ｂ線断面図である。
【図５】  折版屋根の表面への設置状態の一例を部分的に示す断面図である。
【符号の説明】
１  断熱・保水マット
２  給水装置
５  折版屋根（建物の屋根）
１０  断熱・保水ユニット
１１  断熱・保水材
１２  透水性袋体
２５  低圧散水ホース（散水ホース）
２６  人工透析装置
５０  屋上（建物の屋上）
５１  屋上の表面
【図１】
0003658748.tif 000002
【図２】
0003658748.tif 000003
【図３】
0003658748.tif 000004
【図４】
0003658748.tif 000005
【図５】
0003658748.tif 000006